(57)【要約】【課題】部品点数の減少、低コスト化および施工時間の短縮ができる壁パネルと天井パネルとの接続構造を提供すること。【解決手段】浴室１０における壁パネル１２ａ等と天井パネル１３とを固定部材２３で固定し、その境界部の隙間にシール材２４を取り付けた。壁パネル１２ａ等の上端面と天井パネル１３の下端面との間の隙間は、上下方向の長さが浴室１０の内部側が小さく外部側が大きくなるように設定した。また、シール材２４を、隙間における浴室１０の内部側部分を覆う被覆部２４ａと、被覆部２４ａの裏面に設けられ隙間に挿入されることにより壁パネル１２ａ等の上端面と係合する壁側弾性片２４ｂと、天井パネル１３の下端面と係合する天井側弾性片２４ｃとで構成した。さらに、壁パネル１２ａ等の上端面に係合溝２１ａを設け、シール材２４の壁側弾性片２４ｂに係合溝２１ａと係合する係合突起２４ｄを設けた。【選択図】  図２
2004324081.tif 000002
【特許請求の範囲】
【請求項１】
ユニットルームにおける壁パネルと天井パネルとの境界部の隙間に密閉用のシール材を取り付けて構成される壁パネルと天井パネルとの接続構造であって、前記壁パネルの上端面と前記壁パネルの上端面に対向する前記天井パネルの端部側面との間に、上下方向の長さが前記ユニットルームの内部側が小さく外部側が大きく設定された隙間を設け、前記シール材を前記壁パネルの上端面と前記天井パネルの端部側面とに係合できる形状または材料で構成したことを特徴とする壁パネルと天井パネルとの接続構造。
【請求項２】
前記シール材を、前記壁パネルと前記天井パネルとの隙間における前記ユニットルームの内部側部分を覆う被覆部と、前記被覆部の裏面に設けられ、前記隙間に挿入されることにより前記壁パネルの上端面と前記天井パネルの端部側面とに係合する弾性係合部とで構成した請求項１に記載の壁パネルと天井パネルとの接続構造。
【請求項３】
前記弾性係合部を、前記壁パネルの上端面と係合する板状の壁側弾性片と、前記天井パネルの端部側面と係合する板状の天井側弾性片とで構成した請求項１または２に記載の壁パネルと天井パネルとの接続構造。
【請求項４】
前記壁パネルの上端面と前記天井パネルの端部側面との少なくともどちらか一方に、係合溝を設けるとともに、前記シール材における前記係合溝に対応する部分に前記係合溝と係合する係合突起を設けた請求項１ないし３のうちのいずれか一つに記載の壁パネルと天井パネルとの接続構造。
【請求項５】
前記天井パネルの端部側面における前記ユニットルームの外部側の縁部に取付片を形成し、前記取付片と前記壁パネルの上端面における前記ユニットルームの外部側部分とを固定部材を用いて固定することにより前記壁パネルと前記天井パネルとを固定した請求項１ないし４のうちのいずれか一つに記載の壁パネルと天井パネルとの接続構造。
【請求項６】
前記ユニットルームが浴室である請求項１ないし５のうちのいずれか一つに記載の壁パネルと天井パネルとの接続構造
【発明の詳細な説明】
【０００１】
【発明の属する技術分野】
本発明は、ユニットルームにおける壁パネルと天井パネルとの間の隙間をシール材で密閉して構成される壁パネルと天井パネルとの接続構造に関する。
【０００２】
【従来の技術】
従来から、例えば、ユニット型の浴室は、四角形の洗い場フロア等を備えた防水パンの各縁部にそれぞれ壁パネルを組み付けるとともに、壁パネルの上端縁部に天井パネルを組み付けて箱状に形成されている。このような浴室は、壁パネルと天井パネルとの境界部に、シール材を取り付けて浴室の湿気や水が外部に漏出しないようにした止水機能を備えている（例えば、特許文献１参照）。
【０００３】
この壁パネルと天井パネルの接続構造では、壁パネルの上端面と、壁パネルの上端面に接続される天井パネルの端部側面とに、それぞれ、一方の面が凹凸の係合部に形成され他方の面が平面状の当接面に形成された連結具を、当接面どうしが対向するように取り付けている。そして、壁パネルと天井パネルとの接続部における表面側を覆う被覆部と、一対の連結部のそれぞれ上下面に位置する係合部と係合する凹凸の被係合部を有する上部片および下部片とからなるシール材を連結具に係合させることにより壁パネルと天井パネルとを接続している。
【０００４】
【特許文献１】
特許第３２６１３６５号公報
【０００５】
【発明が解決しようとする課題】
しかしながら、前述した従来の壁パネルと天井パネルの接続構造では、壁パネルと天井パネルとにそれぞれ取り付けられる一対の連結部と、シール材とが必要になるため部品点数が多くなりコストが高くなるという問題がある。また、一対の連結部のそれぞれの一方の面には凹凸の係合部を形成し、シール材の上部片と下部片における対向する面にはそれぞれ係合部と係合可能な凹凸の被係合部を形成しているため、連結部やシール材の構造が複雑になるとともにその製造における加工数が増えるという問題もある。さらに、壁パネルと天井パネルとの組立の際の作業に手間がかかるとともに作業時間が長くなるという問題もある。
【０００６】
【発明の概要】
本発明は、上記問題に対処するためになされたもので、その目的は、部品点数の減少、低コスト化および施工時間の短縮ができる壁パネルと天井パネルとの接続構造を提供することである。
【０００７】
上記の目的を達成するため、本発明にかかる壁パネルと天井パネルとの接続構造の構成上の特徴は、ユニットルームにおける壁パネルと天井パネルとの境界部の隙間に密閉用のシール材を取り付けて構成される壁パネルと天井パネルとの接続構造であって、壁パネルの上端面と壁パネルの上端面に対向する天井パネルの端部側面との間に、上下方向の長さがユニットルームの内部側が小さく外部側が大きく設定された隙間を設け、シール材を壁パネルの上端面と天井パネルの端部側面とに係合できる形状または材料で構成したことにある。
【０００８】
前記のように構成した本発明に係る壁パネルと天井パネルとの接続構造によれば、壁パネルと天井パネルとの接続部に位置する壁パネルの上端面と天井パネルの端部側面との間の隙間の上下方向の幅をユニットルームの内部側が狭く外部側が広くなるように設定している。そして、シール材をその壁パネルと天井パネルとの間に係合できる形状に形成している。
【０００９】
したがって、隙間に取り付けられたときのシール材の肉厚は、隙間の表面側（内部側）部分が小さく隙間の奥側（外部側）部分が大きくなる。このため、特に、係合部や被係合部を設けなくとも一旦隙間に取り付けられたシール材は隙間から抜け難くなる。これによって、シール材を製造し易い単純な構造にすることができる。また、シール材を一体からなる部材で構成できるため、部品点数が減りコストの低減が図れる。また、組立作業も容易になるとともに、作業時間も短縮できる。なお、この場合、壁パネルと天井パネルとの固定は固定部材を用いて行う。
【００１０】
また、本発明にかかる壁パネルと天井パネルとの接続構造の他の構成上の特徴は、シール材を、壁パネルと天井パネルとの隙間におけるユニットルームの内部側部分を覆う被覆部と、被覆部の裏面に設けられ、隙間に挿入されることにより壁パネルの上端面と天井パネルの端部側面とに係合する弾性係合部とで構成したことにある。
【００１１】
この壁パネルと天井パネルとの接続構造では、シール材を、被覆部と弾性係合部とで構成し、被覆部が、壁パネルと天井パネルとの隙間の室内側部分を覆って密閉し、弾性係合部は、隙間に挿入されて隙間の上下の面（壁パネルの上端面と天井パネルの端部側面）と係合することによりシール材が隙間から外れないようにしている。この場合、シール材を隙間に取り付ける際には、弾性係合部を隙間内に押し込んで挿入することによりシール材の取り付けができ、弾性係合部が隙間内に挿入されると、挿入された先端部が肉厚になっているためシール材は隙間から抜け止めされる。また、隙間の室内側は被覆部によって被覆されるため確実な止水が行われる。
【００１２】
また、本発明にかかる壁パネルと天井パネルとの接続構造のさらに他の構成上の特徴は、弾性係合部を、壁パネルの上端面と係合する板状の壁側弾性片と、天井パネルの端部側面と係合する板状の天井側弾性片とで構成したことにある。これによると、シール材を隙間に取り付ける際には、壁側弾性片と天井側弾性片との先端部を合わせるようにして双方の幅を狭めることにより隙間内に差し込むことができる。また、壁側弾性片と天井側弾性片とは隙間内に挿入されると、弾性によって元の状態に戻るため隙間の奥側に入り込むようにして隙間から抜け止めされる。したがって、被覆部は、壁側弾性片と天井側弾性片とによって壁パネルと天井パネルとの表面に押し付けられるようにして隙間を覆って止水する。
【００１３】
また、本発明にかかる壁パネルと天井パネルとの接続構造のさらに他の構成上の特徴は、壁パネルの上端面と天井パネルの端部側面との少なくともどちらか一方に、係合溝を設けるとともに、シール材における係合溝に対応する部分に係合溝と係合する係合突起を設けたことにある。これによると、壁パネルと天井パネルの少なくとも一方に設けられた係合溝とシール材に設けられた係合突起とが係合するため、さらにシール材の確実な固定が行われる。
【００１４】
また、本発明にかかる壁パネルと天井パネルとの接続構造のさらに他の構成上の特徴は、天井パネルの端部側面におけるユニットルームの外部側の縁部に取付片を形成し、取付片と壁パネルの上端面におけるユニットルームの外部側部分とを固定部材を用いて固定することにより壁パネルと天井パネルとを固定したことにある。これによると、天井パネルに取付片が設けられているため、壁パネルと天井パネルとの固定が容易に行えるようになる。
【００１５】
また、本発明にかかる壁パネルと天井パネルとの接続構造のさらに他の構成上の特徴は、ユニットルームが浴室であることにある。これによると、止水機能を備えた部品点数の少ない浴室の壁パネルと天井パネルの接続構造を安価に得ることができる。
【００１６】
【発明の実施の形態】
以下、本発明の一実施形態を図面を用いて説明する。図１は同実施形態に係る壁パネルと天井パネルの接続構造２０を備えた浴室１０を示している。この浴室１０は、パネル等によって四角箱状に形成されており、洗い場フロア１１を備えた防水パンや、壁パネル１２ａ，１２ｂ等および天井パネル１３を備えている。
そして、壁パネル１２ａ，１２ｂに隣接する図示の手前側部分および右側部分にも、壁パネル（図示せず）が設けられており、手前側の壁パネルに開閉式のドアを備えた出入り口が設けられている。また、壁パネル１２ａの中央部には、窓１４が設けられている。
【００１７】
壁パネル１２ａ側部分には、浴槽１５が前後方向（壁パネル１２ａの表面に沿った方向）に長くなるように配置されている。そして、浴槽１５の周縁部上面における後方右側部分に、浴槽１５に湯や水を供給するための水栓１６が設けられている。また、図示していないがこの浴室１０には、洗面用のカウンター、洗面用具や入浴用具を収容するための収容棚、鏡、照明装置およびシャワーなどが備わっている。
【００１８】
洗い場フロア１１、壁パネル１２ａ等および天井パネル１３はそれぞれ樹脂の成形体で構成されており、洗い場フロア１１および壁パネル１２ａ等は平面板状に形成されている。また、天井パネル１３は、図示の前方から後方に向って中央部が高くなるように湾曲した略ドーム形に形成されており、２個の天井パネル１３（１個しか図示せず）を組みつけて天井部が構成されている。また、天井パネル１３は軽量化するためにブロー成形によって成形された中空成形体で構成されている。
【００１９】
そして、各壁パネル１２ａ等と天井パネル１３との境界部に、本発明に係る壁パネルと天井パネルとの接続構造２０が形成されている。この接続構造２０における壁パネル１２ｂと天井パネル１３との接続部の縦断面を図２に示している。すなわち、この接続構造２０は、壁パネル１２ｂの上端部２１と、天井パネル１３の下端部２２と、上端部２１と下端部２２とを固定する固定部材２３と、上端部２１と下端部２２との隙間における浴室１０の内部側を密閉するシール材２４とで構成されている。
【００２０】
上端部２１の上端面における幅方向の中央には、壁パネル１２ｂの長手方向に沿った係合溝２１ａが設けられている。また、下端部２２の下端面には、上端部２１の上端面との間に隙間を形成する凹部２２ａが設けられている。下端部２２の下端面は、下端部２２の外側面に沿って下方に突出した取付片２２ｂと、下端部２２の下端面における内側面側に形成された傾斜面２２ｃとで構成されており、取付片２２ｂの内面と傾斜面２２ｃとで凹部２２ａが形成されている。傾斜面２２ｃは、図３に示すように、天井パネル１３を水平面ａ上に置いた場合に、水平面ａとの角度が、「０」よりも大きな所定の角度「θ」になるように設定されている。
【００２１】
上端部２１と下端部２２とを固定する固定部材２３は、図４に示した金具で構成されている。固定部材２３は、水平面部２５ａと水平面部２５ａの後端縁部から下方に延びる垂直面部２５ｂとを有する断面形状がＬ字形の壁側固定片２５と、壁側固定片２５の上面前端側から斜め前方の上方に向かって延びた天井側固定片２６とからなっている。この天井側固定片２６の上端部は前方に向って折れ曲がった傾斜面支持部２６ａに形成されている。そして、水平面部２５ａの両側にねじ穴２５ｃ（一方のねじ穴しか図示せず。）が設けられ、天井側固定片２６の中央部にねじ穴２６ｂが設けられている。
【００２２】
固定部材２３は、図２に示したように、壁側固定片２５を上端部２１の後面と上面との角部に位置合わせした状態でねじ（図示せず）によって上端部２１に固定されている。そして、天井側固定片２６の後面を取付片２２ｂの内面に接触させ、傾斜面支持部２６ａを傾斜面２２ｃに接触させて、天井パネル１３を支持した状態で、ねじ２７をねじ穴２６ｂを通過させ取付片２２ｂ内に捩じ込ませることにより上端部２１と下端部２２とを固定している。また、この固定部材２３は所定間隔を保って上端部２１と下端部２２との隙間に複数個設けられている。
【００２３】
シール材２４は、図１に示したように、壁パネル１２ａ等と、天井パネル１３との境界部に沿って浴室１０の内部側の表面に露呈する被覆部２４ａと、上端部２１の上面に接する壁側弾性片２４ｂと下端部２２の傾斜面２２ｃに接する天井側弾性片２４ｃとで構成されている。シール材２４を壁パネル１２ａ等に取り付ける前の状態での壁側弾性片２４ｂと天井側弾性片２４ｃとの先端部は、互いの間隔が図２の状態よりもさらに広がるようになっているが、隙間に取り付けられることにより、図２の状態になる。
【００２４】
この状態では、壁側弾性片２４ｂと天井側弾性片２４ｃとは、先端側の間隔を広げるようにしてそれぞれ対応する上端部２１の上面または下端部２２の傾斜面２２ｃに圧接している。このため、被覆部２４ａは、裏面側に付勢された状態で壁パネル１２ａ等と天井パネル１３との境界部を被覆している。また、壁側弾性片２４ｂの先端部は下方に向って折れ曲がった係合突起２４ｄに形成され、上端部２１の係合溝２１ａに係合している。この係合突起２４ｄと係合溝２１ａとの係合により、シール材２４はより強固に壁パネル１２ａ等と天井パネル１３との境界部から抜け止めされている。
【００２５】
この構成において、壁パネル１２ａ等と天井パネル１３とを組み立てる場合には、まず、壁パネル１２ａ等の上端部２１の所定箇所に固定部材２３を取り付け、固定部材２３が取り付けられた壁パネル１２ａ等を、防水パンの各縁部に組み付ける。つぎに、壁パネル１２ａ等の上端面に天井パネル１３を組み付ける。この場合、固定部材２３の天井側固定片２６と天井パネル１３の取付片２２ｂとを接触させた状態にする。そして、ねじ２７で天井側固定片２６と取付片２２ｂとを固定する。これによって、浴室１０を構成する各パネルの組み付けが終了する。
【００２６】
つぎに、壁パネル１２ａ等と天井パネル１３との隙間における浴室１０の内部側の部分にシール材２４を取り付ける。このシール材２４は、天井パネル１３の周縁部全体に取り付けることのできる長いものを使用して、所定の角部から順次取り付けていく。この取り付けは、例えば、シール材２４の始端部側の壁側弾性片２４ｂと天井側弾性片２４ｃとの先端部どうしの幅を狭めるようにして押さえた状態で壁パネル１２ａと天井パネル１３との一端側の隙間に差し込む。
【００２７】
そして、順次、シール材２４の壁側弾性片２４ｂと天井側弾性片２４ｃとを壁パネル１２ａと天井パネル１３との他端側の隙間に向けて差し込んでいく。そして、シール材２４を天井パネル１３に沿って一周させ、シール材２４の始端部と終端部とを密着状態にする。これによって、シール材２４の取り付けが終了し、シール材２４によって、壁パネル１２ａ等と天井パネル１３との隙間は密閉される。また、シール材２４は、壁側弾性片２４ｂと天井側弾性片２４ｃとの弾性によって抜け止めされるとともに、係合溝２１ａと係合突起２４ｄとの係合により確実に壁パネル１２ａ等と天井パネル１３とに係合する。
【００２８】
以上のように、本実施形態にかかる接続構造２０は構成されているため、浴室１０の止水を効果的に行える。また、この接続構造２０によると、部品点数が減りコストの低減が図れるとともに、組立作業が容易になり、作業時間も短縮できる。また、天井パネル１３がブロー成形によって成形された中空成形体で構成されているため内部に空間部が形成され、必要以上の成形用材料を使用することがなくなる。これによって、材料の節約と天井パネル１３の軽量化および製造の低コスト化が図れる。また、ブロー成形によるため天井パネル１３を複雑な形状に成形することができる。
【００２９】
図５は、本発明の他の実施形態による壁パネルと天井パネルとの接続構造３０を示している。この接続構造３０では、天井パネル３１がドーム状でなく平面状に形成され、天井パネル３１の端部３２の下面に傾斜面３２ｃを有する凹部が形成されている。そして、端部３２の先端下部側部分が取付片３２ｂに形成され、取付片３２ｂの内面と傾斜面３２ｃとで凹部が構成されている。また、シール材３３の被覆部３３ａの上端側部分３３ｂは、天井パネル３１の下面に沿って折れ曲がっている。この接続構造３０におけるそれ以外の部分の構成については前述した接続構造２０と同一である。したがって、同一部分に同一符号を記している。
【００３０】
このように構成したことにより、天井パネル３１が平面状に形成されていても確実な止水が行える。また、この接続構造３０における作用効果については、前述した接続構造２０と同様である。
【００３１】
また、本発明による壁パネルと天井パネルとの接続構造は、前述した実施形態以外についても技術的範囲内で適宜変更実施が可能である。例えば、前述した実施形態では、シール材２４，３３を１本からなる長いものとしたが、これは複数、例えば各壁パネルごとに取り付けられる４本のもので構成してもよい。これによると取り付け作業がさらに容易になる。また、前述した実施形態では、上端部２１に係合溝２１ａを設け、壁側弾性片２４ｂに係合突起２４ｄを設けたが、係合溝を下端部２２または端部３２に設け、係合突起を天井側弾性片２４ｃに設けることもできる。さらに、上端部２１と下端部２２または端部３２との双方に係合溝を設け、壁側弾性片２４ｂと天井側弾性片２４ｃとの双方に係合突起を設けることもできる。
【００３２】
さらに、本発明による壁パネルと天井パネルとの接続構造２０，３０は、浴室１０に限らず、トイレやその他、止水機構が設けられるユニットルームであればどのようなものに使用してもよい。
【図面の簡単な説明】
【図１】本発明の一実施形態による壁パネルと天井パネルとの接続構造を備えた浴室の内部を示す斜視図である。
【図２】壁パネルと天井パネルとの接続構造を示す縦断面図である。
【図３】天井パネルの傾斜面の傾斜状態を示す縦断面図である。
【図４】固定部材を示す斜視図である。
【図５】本発明の他の実施形態による壁パネルと天井パネルとの接続構造を示す縦断面図である。
【符号の説明】
１０…浴室、１２ａ，１２ｂ…壁パネル、１３，３１…天井パネル、２０，３０…接続構造、２１…上端部、２１ａ…係合溝、２２…下端部、２２ｂ，３２ｂ…取付片、２２ｃ，３２ｃ…傾斜面、２３…固定部材、２４，３３…シール材、２４ａ，３３ａ…被覆部、２４ｂ…壁側弾性片、２４ｃ…天井側弾性片、２４ｄ…係合突起、３２…端部。
【図１】
2004324081.tif 000003
【図２】
2004324081.tif 000004
【図３】
2004324081.tif 000005
【図４】
2004324081.tif 000006
【図５】
2004324081.tif 000007